(57)【特許請求の範囲】
【請求項１】
物品を垂直表面に固定するための保持具であって、
第１の取付用フランジと、第２の取付用フランジと、第１の取付用フランジ及び第２の取付用フランジの間に位置する第１の板と、を有する細長い第１ブラケットであって、第１の取付用フランジと第１の板の間に屈曲部が形成され、第２の取付用フランジと第１の板の間に屈曲部が形成され、両屈曲部と第１の板によって第１凹部が形成された第１ブラケットと、
第３の取付用フランジと、第４の取付用フランジと、第３の取付用フランジ及び第４の取付用フランジの間に位置する第２の板と、を有する細長い第２ブラケットであって、第３の取付用フランジと第２の板の間に屈曲部が形成され、第４の取付用フランジと第２の板の間に屈曲部が形成され、両屈曲部と第２の板によって第２凹部が形成された第２ブラケットと、
第１ブラケットの第１凹部に摺動可能に配置される形状に形成された第１の脚と、第２ブラケットの第２凹部に摺動可能に配置される形状に形成された第２の脚とを有するＵ字状の連結部材と、
を具えている保持具。
【請求項２】
連結部材は、第１の脚と第２の脚との間に、該連結部材を掴んで取り外すときに使用される突出片をさらに具えている請求項１に記載の保持具。
【請求項３】
第１の板、第２の板及び連結部材の脚は、各々が、ほぼ同じ長さである請求項１に記載の保持具。
【請求項４】
取付用フランジは、各々が、ほぼ矩形であり、取付孔を少なくとも１つ有しており、各板と各取付用フランジの間の各屈曲部は、ほぼ直角に屈曲している請求項１に記載の保持具。
【請求項５】
連結部材は、第１の脚と第２の脚との間に、連結部材を掴んで取り外すときに使用される突出片を有しており、
第１の板、第２の板、第１の脚及び第２の脚は、各々が、ほぼ矩形で、ほぼ同じ長さを有し、各取付用フランジは、取付孔を少なくとも１つ含んでおり、各板と各取付用フランジの各屈曲部は、ほぼ直角に屈曲している請求項１に記載の保持具。
【請求項６】
物品を垂直表面に固定するための保持具であって、
第１の取付用フランジと、第２の取付用フランジと、第１の取付用フランジ及び第２の取付用フランジの間に位置する第１の板と、を有する細長い第１ブラケットであって、第１の取付用フランジと第１の板の間に屈曲部が形成され、第２の取付用フランジと第１の板の間に屈曲部が形成され、両屈曲部と第１の板によって第１凹部が形成された第１ブラケットと、
第２の板と係止用フランジを有するＬ字形の第２のブラケットであって、第２の板と係止用フランジの間に屈曲部が形成され、第２の板に長手方向に延びるスロットが開設された第２ブラケットと、
第１ブラケットの第１凹部に摺動可能に配置される形状に形成された第１の脚と、第２ブラケットのスロットの中に摺動可能に配置される形状に形成された第２の脚とを有するＵ字状の連結部材と、
を具えている保持具。
【請求項７】
第１の取付用フランジ、第２の取付用フランジ及び第２の板は、各々が、ほぼ矩形で、取付孔を少なくとも１つ有している請求項６に記載の保持具。
【請求項８】
第１の板及び連結部材の脚は、各々が、ほぼ矩形で、ほぼ同じ長さである請求項６に記載の保持具。
【請求項９】
第１の取付用フランジ、第２の取付用フランジ及び第２の板は、各々が、ほぼ矩形で、取付孔を少なくとも１つ有しており、
第１の板、第１の脚及び第２の脚は、各々が、ほぼ矩形で、ほぼ同じ長さである請求項６に記載の保持具。
【請求項１０】
物品を垂直構造物に取り付けるための保持具であって：
第１の取付用フランジと、第２の取付用フランジと、第１の取付用フランジ及び第２の取付用フランジの間に位置する第１の板と、を有する細長い第１ブラケットであって、第１の取付用フランジと第１の板の間に屈曲部が形成され、第２の取付用フランジと第１の板との間に屈曲部が形成され、両屈曲部と第１の板によって第１凹部が形成された第１ブラケットと、
第２の板を有する第２ブラケットであって、第２の板は、第１の端部に第１ガセットと第３の取付用フランジを有し、第２の端部に第２ガセットと第４の取付用フランジを有しており、第１及び第２のガセットと第２の板によって第２凹部が形成された第２ブラケットと、
第１ブラケットの第１凹部に摺動可能に配置される形状に形成された第１の脚と、第２ブラケットの第２凹部に摺動可能に配置される形状に形成された第２の脚とを有するＵ字状の連結部材と、
を具えている保持具。
【請求項１１】
取付用フランジは、各々が、ほぼ矩形で、取付孔を少なくとも１つ有している請求項１０に記載の保持具。
【請求項１２】
第１の板、第２の板、第１の脚及び第２の脚は、ほぼ矩形で、ほぼ同じ長さを有している請求項１０に記載の保持具。
【請求項１３】
請求項１の保持具を用いて、物品を垂直構造物の垂直表面に固定する方法であって、
第１ブラケットを垂直構造物の垂直表面に固定するステップと、
第２ブラケットを物品の垂直表面に固定するステップと、
前記第１ブラケットと第２ブラケットを、Ｕ字状連結部材によって固定するステップと、
を含んでいる方法。
【請求項１４】
請求項６の保持具を用いて、物品を垂直構造物の垂直表面に固定する方法であって、
第１ブラケットを垂直構造物の垂直表面に固定するステップと、
第２ブラケットを物品の上面又は下面に固定するステップと、
前記第１ブラケットと第２ブラケットを、Ｕ字状連結部材によって固定するステップと、
を含んでいる方法。
【請求項１５】
請求項１０の保持具を用いて、物品を垂直構造物の垂直表面に固定する方法であって、
第１ブラケットを垂直構造物の垂直表面に固定するステップと、
第２ブラケットを物品の上表面に固定するステップと、
前記第１ブラケットと第２ブラケットを、Ｕ字状連結部材によって固定するステップと、
を含んでいる方法。
【発明の詳細な説明】
発明の背景
産業上の利用分野
本発明は、一般的には、支持体なしに立っている物品を固定するための支持具及びブラケットに関するものであり、より具体的には、家具又は機器の如き物品の少なくとも１面を、壁又は該壁に類似の構造物に近接する位置で対向させて、物品を壁又は類似の構造物へ機械的に取り付けるべく、家具又は機器を固定することに関する。
関連技術の説明
家具や機器のような物品に対し、思いがけずに或は無理に力が加えられたとき、物品を動きを最少にするために、かかる物品の転倒を防止し、物品を保持する器具が必要とされていた。上記のような望まれていない物品の動きは、子供がドレッサーや飾り棚などの物品によじ登るなど、人の接触によってしばしば起こることである。家具をよじ登り、その家具が倒れる位置に居たために、毎年多くの子供が死んでいる。地球上のある地域では、地震が家具や機器を動かし、転倒させ、多大の経済的損害と身体への障害を与えている。
従来、物品の動きを制限するために作られた器具は大型であるため、専門家の手助けや、特別な装置を用いない限り、器具の取付けは困難であった。またそれら器具の多くは、物品の清掃やその他の用事のために動かそうとすると、その前に器具を分解せねばならない面倒があった。従来の器具の多くは、保持すべき物品の壁側に近づくには、器具の係合を解除するための特殊な道具が必要であった。しかもそのような器具は、物品に取り付けた際、一般的には美的感覚の点において望ましい物で無かった。
例えばヤマモトへの米国特許第４６１２７４０号（１９８６年９月２３日発行）の器具は、取り付けてから適切な結果を得るには高度の精密さが必要である。ヤマモトの器具は、また製造のために高い精度と費用がかかった。床に取り付けねばならない実施例の場合、背の高い重量のある物品を動かないように保持することは、器具にてこ作用を加えねばならないから不適切であった。同じくある種の実施例では、物品が横に動いて外れることを防止することができなかった。更に、人の手を差し込める程度に十分大きな開口がなければならず、それが無い場合は開設せねばならなかった。このようにこの器具は、仕事場や家庭で使用することは不適当である。
フィツレラルドに付与された米国特許第４８６３１３２号（１９８９年９月５日発行）に開示された器具は、一般的にかさばるばるばかりでなく、取り付けた時に見苦しい問題があった。器具はまた、機械的な締付具を別にしても、約１４点もの多数の部品を製造せねばならない。フィツレラルドの器具を実施するには、器具の基盤となる凝集性発砲体の製造を追加する必要がある。外に現れる連結部品は見苦しいばかりでなく、体を傷つける原因にもなる。
ウエストンに付与された米国特許第３９８９２１５号（１９７６年１１月２日発行）の器具は、部品を揃えて取り付けるために、高度の正確さを必要としている。この器具は更に、ダイス打ち抜きが必要であって、これは高い精度とコストのかかる製造手段であってスクラップ材料を作り出す。器具はわずか２部品の構成であるから、器具と係合させるには、物品を持ち上げねばならず、そのため大型物品への取付けは必要以上に困難なものとなる。
従って、人の手によって単に持上げ又は横滑らし動作するだけで、手軽に手早く分解できる器具が必要とされている。同じく低コストで製造できる器具が必要とされている。その器具は、取扱いが容易で、特別な熟練を必要とせず、また道具をいろいろ用いることなく、正しく取り付けできるものでなければならない。
発明の要旨
基本的な点を要約すると、本発明は支持ブラケットと連結部材を含んでおり、家具とか機器を壁又は同様な構造物へ固定できる保持具に関するものである。本発明の保持具は、従来の器具の多くの問題点を解決するものである。本発明は生命救助ばかりでなく、地震・強風などによって物品が物理的に移動させられることに対して、経済的にも安全性を高める物である。その保持具は、使用が簡単で、取付けが容易であり、低コストで製造できる。それは家庭用と事務所用の両方に使えるように作られ、産業上の用途としても同じように適当である。
保持具は、壁側ブラケットと、物品側ブラケットと、連結部材と、締結要素を含んでいる。壁側ブラケットと物品側ブラケットの断面形状は、押しつぶしたシルクハットに似ている。連結部材はＵ型またはヘアピン状の断面形状に作られ、物品側ブラケットを壁側ブラケットへ固定できるその他の形状に作られている。家具又は機器の如き物品の上部又はその近くの壁面へ取り付けられた時、ブラケットは該ブラケットと、それが取り付けられている表面との間に、空間又は余裕を形成する。該表面は壁又は物品の表面であるか、さもなくばブラケットを固定するために挿入した板であってよい。保持すべき物品を所定位置に置き、両ブラケットを取り付けた後、連結部材の脚をブラケットの凹部へ挿入する。連結部材は２つのブラケットの間の機械的固定手段となり、家具又は機器などの物品の倒れ防止及び保持具となるとともに、必要に応じて極めて簡単に取り外しできる。
壁のような垂直面へ家具又は機器のような物品を固定するために、本発明の方法は、単純な、熟練を要しない幾つかのステップを含んでいる。これらの取付け工程は、家庭又は仕事場に用意されている通常の道具を用いて、全くの素人でも実施できる。第１に凹部(indentation)のあるブラケットを物品の垂直面へ望ましくは物品の上部近くへ取り付ける。次に凹部のある第２ブラケットを例えば壁などの垂直面へ、物品ブラケットの床面からの高さとほぼ等しい高さに取り付ける。垂直表面は、人が触ったり、地震などの折りに物品を適切に支持できるよう頑丈でなければならない。ブラケットは、物品及び壁へネジ・ナット・ボルト又は同様な手段によって固定される。最後に、物品用ブラケットは、連結部材を物品ブラケットの凹部と第２ブラケットの凹部へ滑り込ませて配置することにより、第２ブラケットに固定される。物品は手で掴めるように上向きに突出している突出片を具えた連結部材を取り外すことによって、壁から動かすことができる。
従って、本発明の利点の１つは、構造が簡単であって、取付けが容易なことである。しかしながら、本発明にかかる保持具は、これを保持すべき物品に取り付けた時、構造は頑丈である。この完成した構造は、従来の物品に見られたような面倒さや、危険性はなく、また高価な物品を用いていない。追加の利点として、家具や機器などの物品は、保持具へ取り付ける間は持ち上げている必要がない。同じく保持具の取付けには、これを取り付けるべき物品を動かす必要は無い。しかも通常の取付けに際しては、一切の測定器具を用いる必要は無く、構造の完全性や、保持具が所定の機能を発揮するために、厳密な精度を必要としない。
取付けが終わった後、本発明の保持具は、ほとんど気づかれない程の形であって、家具保持具の問題に対する従来の解決手段にあったような、目障りな問題は無い。器具は保持すべき物品の上部又はその近くに取り付けられ、物品の壁側に取り付けられるから、保持具はほとんど視界から完全にはずれている。又取り付けられた保持具を完全に取り外さねばならない場合でも、該器具はそれが取り付けられていた物品の外から見える部分に、見苦しい痕跡は残さない。同じく保持具を取り外した後の壁の固定されていた部分には、最小で容易に修正できる程度のものが残るだけである。
取付け後に、壁又は保持された物品の隠された側を見る必要が生じた場合、連結部材の係合を取り外すことによって、保持具は速やかに且つ容易に分離できる。保持具が取り外され、保持された物品が動かされたとき、使用者は身体を傷つける原因となるかもしれない一切の鋭利な又は突出した部材に影響されない。このように単純化された分離工程によって、特別な道具や熟練を要することなく、家具の移動、家具や壁の掃除を容易に行なうことができる。
本発明の保持具を製造するコストは、単純な１工程による剪断・パンチを実施することによって最少にすることができる。全ての製造工程は、１つの工程によって迅速かつ低コストで実行される。保持具は、鉄又は非鉄金属、複合材料、射出成形樹脂、押出しアルミニウムなどにより効果的に製造されるが、これらの材料に限定されるものではない。更に保持具は、購入者の方で組立てを行なう必要はほとんどなく、小売店側からも、本発明の保持具は大変魅力的である。それ故、保持具は、ほぼ平面的でフィルムで覆われたカード状の容器に包装し、小売り販売できる。この包装は、購入者が装置の取付け説明を包装の外側から視覚的に調べることができるから、本発明の市場性は一層高められる。
本発明のその他の特徴・利点は、添付の図面を参照にし、以下の詳細な説明から明らかになるであろう。添付の図面は本発明の原理を例示的に図示したものである。
【図面の簡単な説明】
図１は、本発明にかかる保持具の分解斜視図である。
図２は、保持具の他の実施例の分解斜視図であって、連結部材は物品がブラケットの溝孔に適合する。
図３は、保持具の他の実施例を分解斜視図であって、物品側ブラケットは、保持される物品上に取り付けられている。
図３Ａは、図１の物品側ブラケット又は壁側ブラケットに用いる取付台の斜視図である。
図４は、保持具の他の実施例の分解斜視図であって、連結部材はＩビームの形状に形成されている。
図５は、保持具の分解斜視図であって、連結部材は蝶番によって物品側ブラケット望へ取り付けられている。
望ましい実施例の説明
図面の実施例に示されるように、本発明は、家具、機器(appliances)などの物品を、壁などの垂直構造体に固定するための支持ブラケット及び連結部材を具えている。家具、機器などの物品が偶発的に又は強制的に変位させられるような事態をできるだけ少なくするために、かかる物品の倒れを防止し、その動きを拘束する保持具(restraint device)が必要とされている。このような物品の動きを制限するように作られたこれまでの製品は、かさが大きく、専門家の手助けや専用装置がなければ設置が困難であったし、取り付けた後の美観も悪かった。本発明に係る保持具は、使用が容易で、取付けが簡単であり、製造費が安価である。さらに、本発明の保持具は、家庭用、事務所用、産業用に適している。
図面において、同様な部品又は対応する部品については同じ引用符号を付している。図１乃至図５に最も良く示されるように、開示された保持具(10)は、物品側ブラケット(12)、壁側ブラケット(13)、連結部材(14)及び締結要素(15)を具えている。望ましい実施例において、壁側ブラケットと物品側ブラケットの横断面形状は、シルクハットが押しつぶされた形に似ている。保持すべき物品(16)を垂直構造体（図示せず）に近接した適当位置に置き、両方のブラケットを取り付け、連結部材の一対の脚(19)(20)を、各ブラケットにより形成された凹部(recesses)(21)(22)の中に挿入さする。連結部材は、両ブラケットを機械的に固定する。ブラケットを分離したい場合、連結部材から上向きに突出する突出片(23)を利用して分離することができる。更に、物品をその様な保持具で固定する方法は、熟練を要しない幾つかのステップで行なうことができる。この取付けステップは、全くの素人でも、家庭や作業場にある通常の工具を用いて行なうことができる。
より具体的に説明すると、図１は本発明の第１実施例の保持具(10)を示しており、これは、保持すべき物品(16)、例えば家具又は機器の一部を、垂直表面(図示せず)、例えば建物の壁に取り付けるために使用される。保持具は、物品側ブラケット(12)、壁側ブラケット(13)及び連結部材(14)を具えている。連結部材は、断面が略Ｕ字形で大きなヘアピンの形に似ている。連結部材は、連結要素(25)が、第１の脚(19)と第２の脚(20)を形成する２枚の平行な矩形板に接合されている。連結要素は、平らで、前記矩形板に対して直角に形成されているが、円弧状に形成して、より丸い形状にしてもよい。必要に応じて、連結要素を手で掴むために、連結部材の連結要素の上に突出片(23)を設けてもよい。突出片は、連結部材の取付け、取外し作業を手助けする。
望ましい実施例に於いて、物品側ブラケット(12)と壁側ブラケット(13)は、略同一の２つの要素として形成される。ブラケットは両方とも、その断面形状は、シルクハットを押し潰した形に似ている。例えば、壁側ブラケットは、頑丈な材料、例えば金属又は強化プラスチック等から細長い矩形板(27)へ形成される。矩形板は、屈曲され、矩形板の両端部に、第１の取付け用矩形フランジ(28)と第２の取付け用矩形フランジ(29)が同じように形成される。屈曲部は、壁側ブラケットの取付け用フランジを形成するもので、前記屈曲部は、細長い板の内面に凹部(22)を形成し、取り付けられたブラケットと壁との間に空間が作られるようにしている。
壁側ブラケット(13)を、壁の如き垂直表面に固定するために、取付け用の各フランジ(28)(29)に、１又は２以上の取付孔(30)が形成される。取付孔は、２つの小さな孔と、様々な機械的締結具(15)を使用可能にするための大きな１つの孔を含んでいる。締結具は、例えば１４番の１−１／２インチの自動タッピングねじ又は適当な「トグル」型中空壁アンカー及び連結用機械ねじを挙げることができる。特に最適な締結要素は、ニューヨーク州エルムスフォードのメカニカル・プラスチックス・コーポレイションが商標名「toggler」として販売するトグラーボルトである。
物品側ブラケット(12)は、保持すべき物品(16)と、その近傍の壁又は同様な垂直構造物との間で、保持すべき物品(16)の上部又はその近傍に取り付けられる。物品側ブラケットは、壁側ブラケット(13)に関して軸方向に１８０度回転した位置である。壁側ブラケットと同じ様に、物品側ブラケットは、細長い矩形板(32)から形成され、該矩形板は、それぞれの端部で屈曲され、取付け用の一対の矩形フランジ(33)(34)を形成し、物品とブラケットの間に凹部(21)を形成している。適切に揃えられると、物品側ブラケット板(32)と壁側ブラケット板(27)は、互いに接近した位置に置かれる。この様に、物品側ブラケットの凹部(21)と壁側ブラケットの凹部(22)は、ブラケット板によって分離され、その間に連結部材(14)が跨っている。
保持具(10)の各要素を互いに近接した位置に置くことにより、機械的にロックされる。最初に、物品側ブラケット(12)は、締結要素(15)を用いて、物品の上部近傍の所望位置にて、保持すべき物品に固定される。次に、壁側ブラケット(13)が取り付けられるべき壁又は同様な垂直表面の上に、物品側ブラケットの高さがマークされる。壁側ブラケットは、次に前記マーク位置に揃えられ、締結要素を用いて垂直表面に取り付けられる。次に、物品は、壁に近接する位置に移動させられる。壁側ブラケット板(27)が物品側ブラケット板(32)と略同じ高さに置かれると、連結部材の第１の脚(19)を、物品側ブラケットの凹部(21)の中に滑り込ませる。同時に、連結部材の第２の脚(20)を壁側ブラケットの凹部(22)の中に滑り込ませる。連結部材は、それぞれの凹部にきっちりと嵌まる形状に作られ、要素(25)は、２枚のブラケット板の上に載せられる。連結部材の脚は、物品側ブラケット板と壁側ブラケット板が、軸方向に移動するのを防ぐ。このため、連結部材が取り除かれるまでは、物品は、壁に固定されている。
保持具(10)は、家庭又は事務所の家具の如き物品のサイズ及び重量を考慮して、保持すべき様々な物品(16)に適合できる寸法に形成されている。壁側の細長い板(27)と物品側の細長い板(32)は、例えば、長い８インチ、幅１−３／４インチ、厚さ１／１６インチの金属シートから作ることができるが、本発明の範囲をこれに限定するものではない。連結部材(14)は、長さ約４−３／４インチ、連結要素(25)は、幅約１／２インチであり、材料の厚さは、約１／１６インチである。連結部材(19)(20)の脚の長さは、連結要素から約２インチ延びているが、要素が係合されたとき、しっかりと機械的に固定するのに少なくとも十分な距離を有しておればよい。
図２は、他の実施例の保持具(40)を示しており、これは、保持すべき物品(16)の突出部又は壁(42)が比較的短いときに使われるもので、前述したブラケットを取り付けるには不適切である。この保持具も、壁側ブラケット(13)と連結部材(14)は、前述したブラケットと同じ形状を用いる。しかしながら、物品側ブラケット(45)が、「L」字形状に作られるている点が異なる。平板ブラケットを物品側ブラケットとして用いることもできる。
物品側ブラケット(45)は、平らな矩形板(46)から形成され、該矩形板は、一方の縁部に沿って、矩形の係止用フランジ(47)が直角に屈曲している。係止用フランジは、保持すべき物品(16)が壁又は同様な垂直構造(図示せず)に近接する位置にあるとき、壁側ブラケット板(27)に対してしっかりと押圧できる十分な大きさに形成される。物品側のブラケット板は、連結部材を通す孔(50)を含んでおり、該孔は、係止用フランジを形成する縁部の近傍に、細長いスロット状の開口として形成される。物品側ブラケット板には、物品側ブラケットを、保持すべき物品の上表面(43)に固定するために、ねじ(15)又は同様な締結具を挿入するための取付孔(55)が複数個形成される。
図２に示す他の実施例の保持具(40)は、保持すべき物品(42)の上面(43)又は下面に、物品側ブラケット(45)を機械的に取り付けられるようにしている。物品側ブラケットの横断面形状がＬ字形であるので、保持すべき物品の壁側をしっかりした表面にする必要はなくなる。物品側ブラケット(12)に標準のものを用いた場合は、しっかりとした表面を形成せねばならなかった。連結部材(14)の第１の脚(19)を取り付けるために、物品側ブラケットには、連結部材を通すための細長い孔又はスロット(50)を形成している。壁側のブラケット板(27)を物品側の係止用フランジ(47)に接触させて、連結部材の第１の脚(19)を連結部材用孔の中に滑り込ませ、第２の脚(20)を壁側ブラケットの凹部(22)に滑り込ませることにより、物品側ブラケットと壁側ブラケットは機械的にロックされる。
図３に、他の実施例の保持具(60)を示している。この実施例は、保持すべき物品(16)の上表面(43)に保持具を取り付けたい場合に使用される。物品が、物品の内側垂直表面にブラケットを取り付けるには不適当な支持体を有する場合、この実施例における保持具は、他の実施例における保持具よりも好ましい。しかしながら、この保持具も、壁側ブラケット(13)と連結部材(14)については、前述したものと同じものを使用する。しかしながら、物品側ブラケットは、物品の上表面に取付け可能な形状としている。
物品側ブラケット(65)は、物品(16)の上表面(43)に直交して、平らな表面又は細長い矩形の中央板(67)が設けられている。中央板は、その２つの端部で９０度屈曲し、２つのガセット(68)(69)を形成している。ガセットは、中央板に直交しており、保持具(60)が物品と壁に取り付けられたとき、壁から離間する方向に延びている。これらのガセットは、中央板の上面から物品の上面まで、４５度の角度でカットされることが好ましい。しかしながら、ガセットは、物品側ブラケットの製造技術に応じて、様々な角度に形成することができる。
ガセット(68)(69)は屈曲されて、２つの取付用矩形フランジ(70)(71)が繋がっている。取付用フランジはガセットに対して直角に形成し、物品(16)の上表面(43)と同一高さに形成することが好ましい。フランジは、ガセットから離間する方向で、物品の夫々の外側縁部に接近する方向に突出させることが好ましい。しかしながら、フランジは夫々のガセットの内側に形成してもよい。フランジは、物品側ブラケットの支持体として作用し、ねじ(15)の如き締結具を支持するために、取付用孔(73)が形成される。物品側ブラケット(65)の全体を、金属等から単一構造に形成してもよいが、別々の要素を、溶接等の方法により接合することもできる。
保持すべき物品(16)を取り付けるには、まず最初に、物品の内縁(74)に沿って、壁又はその他の垂直表面に面するように、物品側ブラケットを物品の上表面(43)に取り付ける。中央板(67)は、例えば、連結部材(14)の脚(19)(20)の厚さよりも僅かに大きい距離だけ、物品の内縁部の上方を延びており、物品側ブラケットには、連結部材の第１の脚を受けるための凹部(75)が形成される。次に、壁側のブラケット(13)は、物品側ブラケットの中央板と同じ高さ位置にて、壁に取り付けられる。連結部材は、次に、第１の脚を、中央板の外側で物品側ブラケットの凹部へ配置し、適当位置に滑り込ませる。同時に、連結部材の第２の脚は、壁側ブラケットと壁との間に形成される空間の中に入れられ、前述したように、両ブラケットを機械的に固定している。保持具の安定性を高めるために、連結部材の脚は、前述した実施例の脚よりも長くしてもよい。この実施例における保持具の構成では、背の低い物品に取り付けられるとき、同一視線にすることができるけれども、保持具は、物品を壁から実質的には全く動かすことなく、物品や壁に取り付けることができる利点がある。
図３Ａに示されるように、物品側ブラケットを支持するために、取付台(130)を別個に配備してもよい。取付台には、取付用の矩形フランジ(132)が形成され、該フランジは取付台の基部を形成している。図２及び図３に示されるように、取付用フランジは、保持すべき物品(16)の上表面(133)に取付台を取り付けるための取付孔を含んでいる。取付台は、把持部材(135)をさらに含んでおり、該把持部材は、金属の一体構造から屈曲させるのが望ましいが、取付用フランジに溶接してもよい。
把持手段(135)は、望ましくはＵ字状に形成され、矩形の支持部材(137)が取付台フランジ(132)と直角に形成され、矩形の付勢部材(138)が前記支持部材と平行に形成されている。支持部材と付勢部材は、繋ぎ部(139)によって接続されるが、単一構造のＵ字状に形成されてもよい。物品側の取付フランジが把持部材の中へ摺動可能に配備される際、付勢部材が物品側ブラケット(12)の取付フランジ(33)(34)をしっかりと把持できるように、支持部材と付勢部材は、把持部材の中にスロット(140)を形成している。或はまた、把持部材は押出成形により、取付台用のスロットを形成してもよいし、付勢部材は取付台フランジの上に折り重ねて、強度を高めるための取付用孔を形成してもよい。
取付台(130)は、把持部材(135)を物品の内側突出部(42)に隣接させて、下向きかつ平行となるように、物品(16)に取り付けられる。その要領で取り付けられると、取付台は、図２に示される実施例における保持具(40)の平板及び係止フランジと同じ役割を果たす。連結部材(14)を用いて、次に、物品の上表面(43)に取り付けられた一対の取付台の各スロット(140)の中に設けられた物品側ブラケット(12)と、垂直表面に取り付けられた壁側ブラケット(13)とを機械的にロックする。しかしながら、把持部材が物品の上表面から上向きに又は離間するように、取付台が物品に取り付けられると、一対の取付台は、ガセット(68)(69)及び図３に示される実施例の保持具(60)の取付フランジ(70)(71)と同じ役割を果たす。
図４は、他の実施例の保持具(80)を示しており、この実施例は前述の実施例よりも大きくて重い。この実施例の保持具は、保持すべき物品(16)が非常に背が高く、かさばる用途への要請に応えるもので、産業物品用に特に適している。保持具は、必要に応じて、垂直方向又は水平方向に取り付けることができる。
保持具(80)は、部分断面図に示されるように、物品側ブラケット(82)と壁側ブラケット(83)を具えている。物品側ブラケットと壁側ブラケットは同一の形状に作られる。夫々のブラケットは、両縁部にＵ字状の屈曲部が形成された細長い矩形板(85)から形成される。それゆえ、ブラケットの断面形状は「Ｃ」の文字に似ている。Ｕ字状屈曲部は、直角部を２つ有することが望ましく、ブラケットの夫々の縁部に１つずつ、２組の溝(86)(87)を形成しており、連結部材(90)を入れて固定する。係止用タブ(89)は、細長い板の一方の端部に小さく外向きに屈曲したタブであってよく、該タブは壁側ブラケットの中に形成され、保持具を垂直面に取り付ける間、連結部材を保持する。夫々のブラケットには、加えられる荷重を分配するために、複数の取付孔(88)が比較的大きな間隔をあけて開設される。
連結部材(90)の断面形状は、２つのシルクハットが押しつぶされ、一方が他方の上に上下逆さまにして重ねられた形に似ており、Ｉビームにやや似た形である。連結部材は、矩形の中央板(92)を具えており、該中央板は、保持具(80)の要素が係合する際、物品側ブラケット(82)と壁側ブラケット(83)の細長い板(85)と平行に配置される。所定の間隔を有する矩形板(93)(94)は、中央板の両縁部にて中央板と直交しており、その中央位置にて中央板に繋がっている。間隔を存して設けられた夫々の矩形板は、中央板から最も遠く離れた２つの縁部にて９０度屈曲し、該矩形板から遠ざかる方向へ、中央板と平行に延びて、突部又は舌部(95)を形成している。この舌部(95)は、物品側ブラケットと壁側ブラケットの夫々の溝(86)(87)の中にぴったりと嵌まる。連結部材には、連結部材を掴むための丸孔(98)が開設されている。
図４は、保持すべき物品(16)の壁側に対して、水平位置に取り付けられた保持具(80)を示している。垂直表面へ取り付ける間、係止用タブ(89)は壁側ブラケット(83)の上に配置されて床に面しており、これによって、連結部材(90)が、物品側ブラケット(82)と壁側ブラケット(83)の夫々の溝(86)(87)から滑り出るのを防止している。連結部材の取付け又は取外しを容易にするために、孔(98)を設けることが好ましい。連結部材がＩビームの形状であるので、物品側と壁側の両ブラケットを取り付けるのに使用された機械的締結具に当たることなく、連結部材を取り付けることができる。
図５は、他の実施例の保持具(110)を示しており、該保持具は、物品側ブラケット(112)、壁側ブラケット(113)及び連結部材(114)を具えており、連結部材は、蝶番(115)により物品側ブラケットに繋がっている。物品側ブラケットは、細長い矩形の取付板(117)から形成され、該取付板は、締結要素(15)を通すための複数の取付孔(55)を有している。壁側ブラケットはまた、細長い矩形の取付板(118)を具えており、壁側取付板に対して直角に形成されたフランジ(120)を含んでいる。長さがフランジ及び取付板よりも短い保持用突出片(121)は、壁側取付板の壁側から反対方向に延びて最も遠く離れた縁部にて、直角に形成さている。それゆえ、壁側ブラケットの断面形状は、大文字の「Ｚ」の形と似ている。壁側取付板は、締結要素を通すための取付孔を複数個含んでいる。
連結部材(114)は細長い矩形板(125)から形成され、該矩形板は、壁側ブラケット(113)のフランジの上に上向きに屈曲形成された突出片(121)を入れるためのスロット状開口が形成されている。図５に示された連結部材は蝶番を用いて、物品側ブラケット(112)に連結されるけれども、蝶番に限らず、フック、ループ、スイベル、ピボット、摺動式機械的締結具等のように回動可能な任意のジョイントでも構わない。物品側ブラケットと壁側ブラケットを揃えて取り付けられると、連結部材は壁側ブラケットの上で回転し、壁側ブラケットの突出片が連結部材のスロットの中に入れられ、これによって、物品が壁から軸方向に移動するのを防止している。
このように、改良された本発明の保持具は、比較的単純で効果的な手段により、偶発的に物品が移動するのをより効果的に防止できる。本発明の追加の利点として、製造の容易さがあり、孔明けと成形工程を、迅速かつ経済的に１つの工程で行なうことができる。同じように、保持具が簡素な構成であることから、熱間又は冷間スタンピングの他に、射出成形、鋳造、押出しなどの種々の製造形態をとることができる。また、単純で簡単な構造であるから、多くの場合、専門家の作業や電動工具を必要とせず、数分以内で迅速かつ簡単に取り付けることができる。家具又は電気器具の数多くの物品だけでなく、機械的な音響壁のようなどんな構造に対しても効果的に取り付けることができる。
一旦取り付けられると、幾つかの実施例の保持具は、事実上、視野に入ることはないから、外見にうるさい需用者にも歓迎されるであろう。連結要素を用いることにより、取付け時、保持されるべき物品を持ち上げる必要はなくなる。保持される物品を移動させる必要が生じたときも、連結要素があるので、工具又は道具を一切用いることなく、迅速かつ容易に保持具を取り外すことができる。取り付けた後、保持具が物品から取り外されても、物品の上部、前部又は側部にある目障りな痕跡が後に残ることはないだろう。それゆえ、物品の最も目に留まる領域に跡形が残って、物品の外観が損なわれるようなことはない。
本発明の幾つかの具体的形態を開示したが、発明の精神及び範囲から逸脱することなく、種々の変形をなし得るだろう。例えば、構成材料及び具体的寸法に関しては、どのようであれ、限定するものと解されるべきでなく、発明の精神及び範囲内でその他材料の使用及び寸法の変更は可能である。それゆえ、本発明は添付の請求の範囲の記載以外については、発明を限定するものと解されるべきでない。
【図１】
0003831792.tif 000002
【図２】
0003831792.tif 000003
【図３】
0003831792.tif 000004
【図３Ａ】
0003831792.tif 000005
【図４】
0003831792.tif 000006
【図５】
0003831792.tif 000007